(57)【要約】【課題】印刷媒体に所定の厚さの画像を印刷するインクジェットプリンタを制御するためのプリンタ制御システムにおいて、画像データを印刷データに変換するときのオペレータの操作の負担を軽減することが可能なプリンタ制御システムを提供する。【解決手段】印刷媒体に所定の厚さの画像を印刷するインクジェットプリンタ４を制御するためのプリンタ制御システム５は、画像データを作成編集するための画像データ作成編集部１１と、画像データ作成編集部１１から送られてきた画像データを印刷データに変換してインクジェットプリンタ４に送るためのプリンタ制御部１２とを備えている。印刷媒体に印刷される画像の中の、画像に厚さを持たせるための部分を厚盛部とすると、画像データ作成編集部１１からプリンタ制御部１２に送られる画像データには、厚盛部の厚さに関する厚さ情報および厚盛部の端部の形状に関する形状情報の少なくともいずれか一方が含まれている。【選択図】図１
2020135262.tif 000002
【特許請求の範囲】
【請求項１】
印刷媒体に所定の厚さの画像を印刷するインクジェットプリンタを制御するためのプリンタ制御システムであって、
前記画像のデータである画像データを作成および編集するための画像データ作成編集部と、前記画像データ作成編集部から送られてきた前記画像データを印刷データに変換して前記インクジェットプリンタに送るためのプリンタ制御部とを備え、
所定の厚さを有する前記画像の中の、前記画像に厚さを持たせるための部分を厚盛部とすると、
前記画像データ作成編集部から前記プリンタ制御部に送られる前記画像データには、前記厚盛部の厚さに関する厚さ情報および前記厚盛部の端部の形状に関する形状情報の少なくともいずれか一方が含まれていることを特徴とするプリンタ制御システム。
【請求項２】
前記画像データには、特色が付与されており、
前記画像データに含まれている前記厚さ情報および前記形状情報の少なくともいずれか一方は、前記特色で規定されていることを特徴とする請求項１記載のプリンタ制御システム。
【請求項３】
前記画像データには、前記厚さ情報および前記形状情報の両方が含まれていることを特徴とする請求項１または２記載のプリンタ制御システム。
【請求項４】
前記厚盛部は、積層された複数のインク層によって構成され、
前記厚さ情報は、前記厚盛部を構成する前記インク層の層数または前記厚盛部の厚さであることを特徴とする請求項１から３のいずれかに記載のプリンタ制御システム。
【請求項５】
前記厚盛部は、クリアインクまたは白インクの前記インク層によって構成されていることを特徴とする請求項４記載のプリンタ制御システム。
【請求項６】
請求項１から５のいずれかに記載のプリンタ制御システムと、前記印刷媒体に前記画像を印刷する前記インクジェットプリンタとを備え、
前記インクジェットプリンタは、前記プリンタ制御部から送られてきた前記印刷データに基づいて前記印刷媒体に前記画像を印刷することを特徴とする印刷システム。
【請求項７】
印刷媒体に所定の厚さの画像を印刷するための印刷データの作成方法であって、
所定の厚さを有する前記画像の中の、前記画像に厚さを持たせるための部分を厚盛部とすると、
前記厚盛部の厚さに関する厚さ情報および前記厚盛部の端部の形状に関する形状情報の少なくともいずれか一方が含まれている前記画像のデータである画像データを変換して前記印刷データを作成することを特徴とする印刷データの作成方法。
【発明の詳細な説明】
【技術分野】
【０００１】
本発明は、印刷媒体に所定の厚さの画像を印刷するプリンタを制御するためのプリンタ制御システムおよびこのプリンタ制御システムを備える印刷システムに関する。また、本発明は、印刷媒体に所定の厚さの画像を印刷するための印刷データの作成方法に関する。なお、本明細書において、「画像」には、文字を含む記号、図形および記号と図形との組合せが含まれているものとする。
【背景技術】
【０００２】
従来、印刷媒体に所定の厚さの画像を印刷する（すなわち、厚盛印刷を行う）インクジェットプリンタが知られている（たとえば、特許文献１参照）。特許文献１に記載のインクジェットプリンタは、紫外線硬化型のインク滴を吐出するインクジェットヘッドと、印刷媒体に吐出されたインクに紫外線を照射する紫外線照射装置と、インクジェットヘッドおよび紫外線照射装置が搭載されるキャリッジとを備えている。特許文献１に記載のインクジェットプリンタでは、カラーインクによって形成されるインク層の上に、クリアインクによって形成される複数のインク層を順次積層することで、印刷媒体に厚盛印刷を行っている。
【先行技術文献】
【特許文献】
【０００３】
【特許文献１】特開２０１２−１０６４７３号公報
【発明の概要】
【発明が解決しようとする課題】
【０００４】
特許文献１に記載のインクジェットプリンタには、たとえば、印刷媒体に印刷される画像のデータ（画像データ）を作成および編集するための画像編集ソフトウエアと、画像データを印刷用のデータ（印刷データ）に変換するためのソフトウエアＲＩＰとがインストールされたパーソナルコンピュータが接続されている。また、特許文献１に記載のインクジェットプリンタで厚盛印刷が行われるときには、たとえば、まず、予め作成された画像データが画像編集ソフトウエアで読み出される。
【０００５】
また、たとえば、印刷媒体に印刷される画像の中の、画像に厚みを持たせる部分が１０層のクリアインクのインク層によって構成されている場合には、この部分の印刷データを作成するために、画像編集ソフトウエアで読み出された画像データが１０回、画像編集ソフトウエアからソフトウエアＲＩＰに送られる。画像編集ソフトウエアからソフトウエアＲＩＰに画像データが送られると、オペレータは、１０回に亘って送られてきた画像データを重ねて合成するとともに合成した画像データの形状を調整する等の所定の操作をソフトウエアＲＩＰで行って、１０回に亘って送られてきた画像データを、画像に厚みを持たせる部分の印刷データに変換する。また、印刷データが作成されると、印刷データがインクジェットプリンタに送られ、インクジェットプリンタが印刷データに基づいて、印刷媒体に厚盛印刷を行う。
【０００６】
しかしながら、従来の場合、印刷媒体に厚盛印刷を行う際にソフトウエアＲＩＰを用いてオペレータが行う操作は比較的煩雑であるため、画像データを印刷データに変換するときのオペレータの操作の負担が大きくなる。
【０００７】
そこで、本発明の課題は、印刷媒体に所定の厚さの画像を印刷するインクジェットプリンタを制御するためのプリンタ制御システムにおいて、画像データを印刷データに変換するときのオペレータの操作の負担を軽減することが可能なプリンタ制御システムを提供することにある。また、本発明の課題は、かかるプリンタ制御システムを備える印刷システムを提供することにある。さらに、本発明の課題は、印刷媒体に所定の厚さの画像を印刷するための印刷データの作成方法において、画像データを印刷データに変換するときのオペレータの操作の負担を軽減することが可能となる印刷データの作成方法を提供することにある。
【課題を解決するための手段】
【０００８】
上記の課題を解決するため、本発明のプリンタ制御システムは、印刷媒体に所定の厚さの画像を印刷するインクジェットプリンタを制御するためのプリンタ制御システムであって、画像のデータである画像データを作成および編集するための画像データ作成編集部と、画像データ作成編集部から送られてきた画像データを印刷データに変換してインクジェットプリンタに送るためのプリンタ制御部とを備え、所定の厚さを有する画像の中の、画像に厚さを持たせるための部分を厚盛部とすると、画像データ作成編集部からプリンタ制御部に送られる画像データには、厚盛部の厚さに関する厚さ情報および厚盛部の端部の形状に関する形状情報の少なくともいずれか一方が含まれていることを特徴とする。
【０００９】
本発明のプリンタ制御システムでは、画像データ作成編集部からプリンタ制御部に送られる画像データに、厚盛部の厚さに関する厚さ情報および厚盛部の端部の形状に関する形状情報の少なくともいずれか一方が含まれている。そのため、本発明では、プリンタ制御部において画像データを印刷データに変換するときに、オペレータは、厚さ情報を印刷データに追加するための操作、および、形状情報を印刷データに追加するための操作の少なくともいずれか一方を行う必要がない。したがって、本発明では、画像データを印刷データに変換するときのオペレータの操作の負担を軽減することが可能になる。
【００１０】
本発明において、画像データには、特色が付与されており、画像データに含まれている厚さ情報および形状情報の少なくともいずれか一方は、特色で規定されていることが好ましい。このように構成すると、厚さ情報や形状情報を比較的容易に画像データに含ませることが可能になる。
【００１１】
本発明において、画像データには、厚さ情報および形状情報の両方が含まれていることが好ましい。このように構成すると、画像データを印刷データに変換するときのオペレータの操作の負担をより軽減することが可能になる。
【００１２】
本発明において、厚盛部は、積層された複数のインク層によって構成され、たとえば、厚さ情報は、厚盛部を構成するインク層の層数または厚盛部の厚さである。また、本発明において、たとえば、厚盛部は、クリアインクまたは白インクのインク層によって構成されている。
【００１３】
本発明のプリンタ制御システムは、印刷媒体に画像を印刷するインクジェットプリンタを備える印刷システムに用いることができる。この印刷システムでは、インクジェットプリンタは、プリンタ制御部から送られてきた印刷データに基づいて印刷媒体に画像を印刷する。この印刷システムでは、画像データを印刷データに変換するときのオペレータの操作の負担を軽減することが可能になる。
【００１４】
また、上記の課題を解決するため、本発明の印刷データの作成方法は、印刷媒体に所定の厚さの画像を印刷するための印刷データの作成方法であって、所定の厚さを有する画像の中の、画像に厚さを持たせるための部分を厚盛部とすると、厚盛部の厚さに関する厚さ情報および厚盛部の端部の形状に関する形状情報の少なくともいずれか一方が含まれている画像のデータである画像データを変換して印刷データを作成することを特徴とする。
【００１５】
本発明の印刷データの作成方法では、厚盛部の厚さに関する厚さ情報および厚盛部の端部の形状に関する形状情報の少なくともいずれか一方が含まれている画像データを変換して印刷データを作成している。そのため、本発明では、画像データを印刷データに変換するときに、オペレータは、厚さ情報を印刷データに追加するための操作、および、形状情報を印刷データに追加するための操作の少なくともいずれか一方を行う必要がない。したがって、本発明の印刷データの作成方法で印刷データを作成すれば、画像データを印刷データに変換するときのオペレータの操作の負担を軽減することが可能になる。
【発明の効果】
【００１６】
以上のように、本発明では、印刷媒体に所定の厚さの画像を印刷するインクジェットプリンタを制御するためのプリンタ制御システムにおいて、画像データを印刷データに変換するときのオペレータの操作の負担を軽減することが可能になる。また、本発明の印刷データの作成方法で印刷データを作成すれば、画像データを印刷データに変換するときのオペレータの操作の負担を軽減することが可能になる。
【図面の簡単な説明】
【００１７】
【図１】本発明の実施の形態にかかる印刷システムの構成を説明するためのブロック図である。
【図２】図１に示すインクジェットプリンタの概略平面図である。
【図３】図１に示すインクジェットプリンタによって印刷媒体に印刷される画像の断面を説明するための図である。
【図４】図１に示すインクジェットプリンタによって予め印刷された複数の厚盛部のサンプル画像からなるパッチの平面図である。
【図５】（Ａ）は、図４のＥ−Ｅ断面の断面図であり、（Ｂ）は、図４のＦ−Ｆ断面の断面図であり、（Ｃ）は、図４のＧ−Ｇ断面の断面図である。
【発明を実施するための形態】
【００１８】
以下、図面を参照しながら、本発明の実施の形態を説明する。
【００１９】
（印刷システムの構成および動作）
図１は、本発明の実施の形態にかかる印刷システム１の構成を説明するためのブロック図である。図２は、図１に示すインクジェットプリンタ４の概略平面図である。図３は、図１に示すインクジェットプリンタ４によって印刷媒体２に印刷される画像３の断面を説明するための図である。図４は、図１に示すインクジェットプリンタ４によって予め印刷された複数の厚盛部３ｄのサンプル画像からなるパッチ１５の平面図である。図５（Ａ）は、図４のＥ−Ｅ断面の断面図であり、図５（Ｂ）は、図４のＦ−Ｆ断面の断面図であり、図５（Ｃ）は、図４のＧ−Ｇ断面の断面図である。
【００２０】
本形態の印刷システム１は、印刷用紙または樹脂板等の印刷媒体２に所定の厚さの画像３を印刷する（すなわち、印刷媒体２に厚盛印刷を行う）インクジェットプリンタ４と、インクジェットプリンタ４を制御するためのプリンタ制御システム５とを備えている。本形態のプリンタ制御システム５は、パーソナルコンピュータ（ＰＣ）である。したがって、以下では、プリンタ制御システム５を「ＰＣ５」とする。また、以下では、インクジェットプリンタ４を「プリンタ４」とする。
【００２１】
プリンタ４は、印刷媒体２が載置されるテーブル６と、テーブル６に載置される印刷媒体２に向かってインク滴を吐出するインクジェットヘッドと、インクジェットヘッドが搭載されるキャリッジ７と、主走査方向への移動が可能となるようにキャリッジ７を保持するＹバー８と、キャリッジ７を主走査方向に移動させるキャリッジ駆動機構と、Ｙバー８を副走査方向に移動させるＹバー駆動機構とを備えている。キャリッジ７は、テーブル６の上方に配置されている。本形態のインクジェットヘッドは、紫外線硬化型のインクを吐出する。また、プリンタ４は、インクジェットヘッドから吐出されたインクに紫外線を照射する紫外線照射器を備えている。紫外線照射器は、キャリッジ７に搭載されている。
【００２２】
プリンタ４では、インクジェットヘッドから吐出されるとともに紫外線照射器から照射される紫外線で硬化したインクによって形成されるインク層が印刷媒体２の上面に順次積層されて、印刷媒体２に所定の厚さの画像３が印刷される。すなわち、画像３は、積層された複数のインク層によって構成されている。また、画像３は、プライマーインクの層であるプライマーインク層３ａと、カラーインクの層であるカラーインク層３ｂと、クリアインクの層であるクリアインク層３ｃとから構成されている。
【００２３】
具体的には、画像３は、１層のプライマーインク層３ａと、１層のカラーインク層３ｂと、複数のクリアインク層３ｃとから構成されている。また、画像３では、プライマーインク層３ａとカラーインク層３ｂと複数のクリアインク層３ｃとが下側からこの順番で積層されている。本形態では、画像３の中の、積層された複数のクリアインク層３ｃは、所定の厚さを有する画像３の中の、画像３に厚さを持たせるための部分である厚盛部３ｄとなっている。すなわち、厚盛部３ｄは、積層された複数のクリアインク層３ｃ（クリアインクのインク層）によって構成されている。
【００２４】
ＰＣ５は、ＲＯＭ、ＲＡＭおよびハードディスクドライブ等の記憶手段やＣＰＵ等の演算手段等の各種のハードウエアを備えている。ＰＣ５には、印刷媒体２に印刷される画像のデータである画像データを作成編集するためのソフトウエア（画像編集ソフトウエア）と、プリンタ４を制御するためのソフトウエア（ソフトウエアＲＩＰ）とがインストールされている。なお、画像編集ソフトウエアは、たとえば、アドビシステムズ社製のイラストレータである。
【００２５】
また、ＰＣ５は、ＰＣ５の機能として、画像データの作成および編集を行うための画像データ作成編集部１１と、画像データ作成編集部１１から送られてきた画像データを印刷データに変換してプリンタ４に送るためのプリンタ制御部１２とを備えている。画像データ作成編集部１１は、画像編集ソフトウエアと、このソフトウエアのプログラムを実行するＰＣ５のハードウエアとから構成されている。プリンタ制御部１２は、ソフトウエアＲＩＰと、このソフトウエアのプログラムを実行するＰＣ５のハードウエアとから構成されている。
【００２６】
プリンタ４で印刷媒体２に厚盛印刷を行うときには、オペレータは、たとえば、デザイナー等によって予め作成された画像データを画像データ作成編集部１１で読み出す。あるいは、オペレータは、画像データ作成編集部１１で画像データを作成する。画像データ作成編集部１１で読み出された画像データ（または、画像データ作成編集部１１で作成された画像データ）は、画像データ作成編集部１１からプリンタ制御部１２に自動的に送られる。
【００２７】
プリンタ制御部１２は、画像データ作成編集部１１から送られてきた画像データを印刷データに変換して、プリンタ４に送る。すなわち、プリンタ制御部１２は、画像データ作成編集部１１から送られてきた画像データを変換して印刷データを作成し、作成した印刷データをプリンタ４に送る。プリンタ４は、プリンタ制御部１２から送られてきた印刷データに基づいて印刷媒体２に画像３を印刷する。すなわち、プリンタ４は、印刷データに基づいて、１層のプライマーインク層３ａと、１層のカラーインク層３ｂと、複数のクリアインク層３ｃとを印刷媒体２に順次積層する。
【００２８】
画像データ作成編集部１１からプリンタ制御部１２に送られる画像データには、厚盛部３ｄの厚さ（高さ）に関する厚さ情報および厚盛部３ｄの端部の形状に関する形状情報が含まれている。画像データに含まれる厚さ情報は、厚盛部３ｄを構成するクリアインク層３ｃの層数または厚盛部３ｄの厚さｔ（図３参照）である。なお、画像データに含まれる厚さ情報が厚盛部３ｄの厚さｔである場合には、プリンタ制御部１２は、画像データを印刷データに変換する際に、厚盛部３ｄを構成するクリアインク層３ｃの層数を自動で算出する。
【００２９】
また、画像データに含まれる形状情報は、厚盛部３ｄの端面の形状であり、この形状情報によって、たとえば、厚盛部３ｄの端面の形状が印刷媒体２の表面に直交する垂直面（図５（Ａ）参照）であるのか、あるいは、厚盛部３ｄの端面の形状が緩やかな凸曲面（図５（Ｃ）参照）であるのか、それとも、厚盛部３ｄの端面の形状が垂直面と緩やかな凸曲面との中間形状（図５（Ｂ）参照）であるのかが特定される。
【００３０】
本形態では、画像データ（具体的には、厚盛部３ｄの画像データ）に特色が付与されており、厚さ情報および形状情報は特色（スポットカラー）によって規定されている。たとえば、特色名「Ｍ＿０１Ａ」の特色が厚盛部３ｄの画像データに付与されている場合には、厚盛部３ｄの厚さｔが１（ｍｍ）であり、厚盛部３ｄの端面の形状が図５（Ａ）に示す形状であることが規定されている。また、たとえば、特色名「Ｍ＿０３Ｂ」の特色が厚盛部３ｄの画像データに付与されている場合には、厚盛部３ｄの厚さｔが３（ｍｍ）であり、厚盛部３ｄの端面の形状が図５（Ｂ）に示す形状であることが規定され、特色名「Ｍ＿０５Ｃ」の特色が厚盛部３ｄの画像データに付与されている場合には、厚盛部３ｄの厚さｔが５（ｍｍ）であり、厚盛部３ｄの端面の形状が図５（Ｃ）に示す形状であることが規定されている。
【００３１】
厚さ情報および形状情報と特色名とが関連付けられた（紐付けされた）各特色は、予め画像データ作成編集部１１に記憶されている。あるいは、画像データ作成編集部１１で画像データを作成編集するときに、厚さ情報および形状情報と特色名とが関連付けられた特色が画像データ作成編集部１１に記憶されるとともに、厚盛部３ｄの画像データに付与される。
【００３２】
また、本形態では、各特色に応じてプリンタ４で印刷された複数の厚盛部３ｄのサンプル画像からなるパッチ１５が予め作成されている（図４参照）。たとえば、パッチ１５には、特色名「Ｍ＿０１Ａ」〜「Ｍ＿０５Ａ」、「Ｍ＿０１Ｂ」〜「Ｍ＿０５Ｂ」、「Ｍ＿０１Ｃ」〜「Ｍ＿０５Ｃ」のそれぞれの特色が付与された画像データに対応する厚盛部３ｄのサンプル画像が含まれている。画像データを作成するデザイナー等は、パッチ１５を参照しながら、厚盛部３ｄの画像データに特色を付与する。
【００３３】
なお、特色名「Ｍ＿０１Ａ」〜「Ｍ＿０５Ａ」のそれぞれの特色が付与された画像データに対応する５個の厚盛部３ｄのサンプル画像では、厚盛部３ｄの端面の形状は同じであるが、厚盛部３ｄを構成するクリアインク層３ｃの層数または厚盛部３ｄの厚さｔがそれぞれ異なっている。同様に、特色名「Ｍ＿０１Ｂ」〜「Ｍ＿０５Ｂ」のそれぞれの特色が付与された画像データに対応する５個の厚盛部３ｄのサンプル画像では、厚盛部３ｄの端面の形状は同じであるが、厚盛部３ｄを構成するクリアインク層３ｃの層数または厚盛部３ｄの厚さｔがそれぞれ異なっており、特色名「Ｍ＿０１Ｃ」〜「Ｍ＿０５Ｃ」のそれぞれの特色が付与された画像データに対応する５個の厚盛部３ｄのサンプル画像では、厚盛部３ｄの端面の形状は同じであるが、厚盛部３ｄを構成するクリアインク層３ｃの層数または厚盛部３ｄの厚さｔがそれぞれ異なっている。
【００３４】
（本形態の主な効果）
以上説明したように、本形態では、画像データ作成編集部１１からプリンタ制御部１２に送られる画像データに、厚盛部３ｄの厚さに関する厚さ情報および厚盛部３ｄの端部の形状に関する形状情報が含まれている。そのため、本形態では、プリンタ制御部１２において画像データを印刷データに変換するときに、オペレータは、厚さ情報を印刷データに追加するための操作および形状情報を印刷データに追加するための操作を行う必要がない。したがって、本形態では、画像データを印刷データに変換するときのオペレータの操作の負担を軽減することが可能になる。
【００３５】
本形態において、画像データに特色が付与されており、厚さ情報および形状情報は、特色によって規定されている。そのため、本形態では、厚さ情報および形状情報を比較的容易に画像データに含ませることが可能になる。
【００３６】
（他の実施の形態）
上述した形態は、本発明の好適な形態の一例ではあるが、これに限定されるものではなく本発明の要旨を変更しない範囲において種々変形実施が可能である。
【００３７】
上述した形態において、画像データ作成編集部１１からプリンタ制御部１２に送られる画像データに厚さ情報および形状情報のいずれか一方が含まれていなくても良い。この場合には、画像データに含まれている厚さ情報および形状情報のいずれか他方が特色によって規定されている。この場合であっても、プリンタ制御部１２において画像データを印刷データに変換するときに、オペレータは、厚さ情報を印刷データに追加するための操作および形状情報を印刷データに追加するための操作のいずれか一方を行う必要がない。したがって、画像データを印刷データに変換するときのオペレータの操作の負担を軽減することが可能になる。
【００３８】
上述した形態において、プライマーインク層３ａと複数のクリアインク層３ｃとカラーインク層３ｂとが下側からこの順番で積層されていても良い。また、上述した形態において、厚盛部３ｄは、積層された複数の白インクのインク層（白インク層）によって構成されていても良い。この場合には、プライマーインク層３ａと複数の白インク層とカラーインク層３ｂとが下側からこの順番で積層されている。
【符号の説明】
【００３９】
１  印刷システム
２  印刷媒体
３  画像
３ｃ  クリアインク層（インク層）
３ｄ  厚盛部
４  プリンタ（インクジェットプリンタ）
５  ＰＣ（プリンタ制御システム）
１１  画像データ作成編集部
１２  プリンタ制御部
【図１】
2020135262.tif 000003
【図２】
2020135262.tif 000004
【図３】
2020135262.tif 000005
【図４】
2020135262.tif 000006
【図５】
2020135262.tif 000007